【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
スパイキングニューラルネットワークを使用して学習する方法であって、
（ａ）人工ニューロンへの入力に関連する現在の遅延に従って前記人工ニューロンにおいて入力スパイクを遅延させることであって、ここにおいて、前記入力スパイクが、前記人工ニューロンのための基準時間に対する入力スパイク時間に発生する、上記遅延させることと、
（ｂ）前記遅延された入力スパイクに少なくとも部分的に基づいて前記人工ニューロンから出力スパイクを放出することと、
（ｃ）前記人工ニューロンからの前記出力スパイクの前記放出と前記人工ニューロンのための前記基準時間との間の実際の時間差を判断することと、
（ｄ）ターゲット時間差と前記実際の時間差との間の差、前記現在の遅延、および前記入力スパイクのための入力スパイク時間に基づいて、前記入力に関連する前記現在の遅延を調整することと
を備える、方法。
【請求項２】
前記入力スパイクを遅延させる前に前記現在の遅延を初期化することをさらに備える、請求項１に記載の方法。
【請求項３】
少なくとも、前記ターゲット時間差と前記実際の時間差との間の前記差がしきい値よりも小さいかまたはそれに等しくなるまで、または最大数の反復が実行されるまで、前記調整された現在の遅延を用いて（ａ）〜（ｄ）を繰り返すことをさらに備える、請求項１に記載の方法。
【請求項４】
前記調整された現在の遅延に基づいてスカラー値を判断することであって、ここにおいて、前記スカラー値が、前記人工ニューロンのための膜電位の変化の係数の指数値の逆数であり、前記指数が、前記逆数をとる前に前記調整された現在の遅延のパワーに上げられる、上記判断することをさらに備える、請求項１に記載の方法。
【請求項５】
前記スカラー値が線形変換の係数である、請求項４に記載の方法。
【請求項６】
前記ターゲット時間差が、前記人工ニューロンを含む恒常的プロセスのための設定点である、請求項１に記載の方法。
【請求項７】
前記人工ニューロンが、指数関数的に増大する膜電位を有し、抑制性入力の不在において脱分極し続け、ここにおいて、興奮性入力が、前記人工ニューロンを、前記人工ニューロンが前記興奮性入力なしに発火するであろうよりもすぐに発火させる、請求項１に記載の方法。
【請求項８】
前記人工ニューロンのための前記基準時間が、別の人工ニューロンから遅延された時間に発生する、請求項１に記載の方法。
【請求項９】
スパイキングニューラルネットワークを使用して学習するための装置であって、
（ａ）人工ニューロンへの入力に関連する現在の遅延に従って前記人工ニューロンにおいて入力スパイクを遅延させることであって、ここにおいて、前記入力スパイクが、前記人工ニューロンのための基準時間に対する入力スパイク時間に発生する、上記遅延させることと、
（ｂ）前記遅延された入力スパイクに少なくとも部分的に基づいて前記人工ニューロンから出力スパイクを放出することと、
（ｃ）前記人工ニューロンからの前記出力スパイクの前記放出と前記人工ニューロンのための前記基準時間との間の実際の時間差を判断することと、
（ｄ）ターゲット時間差と前記実際の時間差との間の差、前記現在の遅延、および前記入力スパイクのための入力スパイク時間に基づいて、前記入力に関連する前記現在の遅延を調整することと
を行うように構成された処理ユニットを備える、装置。
【請求項１０】
前記処理ユニットが、
前記入力スパイクを遅延させる前に前記現在の遅延を初期化するようにさらに構成される、請求項９に記載の装置。
【請求項１１】
前記処理ユニットが、
少なくとも、前記ターゲット時間差と前記実際の時間差との間の前記差がしきい値よりも小さいかまたはそれに等しくなるまで、または最大数の反復が実行されるまで、前記調整された現在の遅延を用いて（ａ）〜（ｄ）を繰り返すようにさらに構成される、請求項９に記載の装置。
【請求項１２】
前記処理ユニットが、
前記調整された現在の遅延に基づいてスカラー値を判断することであって、ここにおいて、前記スカラー値が、前記人工ニューロンのための膜電位の変化の係数の指数値の逆数であり、前記指数が、前記逆数をとる前に前記調整された現在の遅延のパワーに上げられる、上記判断することを行うようにさらに構成される、請求項９に記載の装置。
【請求項１３】
前記スカラー値が線形変換の係数である、請求項１２に記載の装置。
【請求項１４】
前記ターゲット時間差が、前記人工ニューロンを含む恒常的プロセスのための設定点である、請求項９に記載の装置。
【請求項１５】
前記人工ニューロンが、指数関数的に増大する膜電位を有し、抑制性入力の不在において脱分極し続け、ここにおいて、興奮性入力が、前記人工ニューロンを、前記人工ニューロンが前記興奮性入力なしに発火するであろうよりもすぐに発火させる、請求項９に記載の装置。
【請求項１６】
スパイキングニューラルネットワークを使用して学習するための装置であって、
（ａ）人工ニューロンへの入力に関連する現在の遅延に従って前記人工ニューロンにおいて入力スパイクを遅延させるための手段であって、ここにおいて、前記入力スパイクが、前記人工ニューロンのための基準時間に対する入力スパイク時間に発生する、上記遅延させるための手段と、
（ｂ）前記遅延された入力スパイクに少なくとも部分的に基づいて前記人工ニューロンから出力スパイクを放出するための手段と、
（ｃ）前記人工ニューロンからの前記出力スパイクの前記放出と前記人工ニューロンのための前記基準時間との間の実際の時間差を判断するための手段と、
（ｄ）ターゲット時間差と前記実際の時間差との間の差、前記現在の遅延、および前記入力スパイクのための入力スパイク時間に基づいて、前記入力に関連する前記現在の遅延を調整するための手段と
を備える、装置。
【請求項１７】
前記入力スパイクを遅延させる前に前記現在の遅延を初期化するための手段をさらに備える、請求項１６に記載の装置。
【請求項１８】
少なくとも、前記ターゲット時間差と前記実際の時間差との間の前記差がしきい値よりも小さいかまたはそれに等しくなるまで、または最大数の反復が実行されるまで、前記調整された現在の遅延を用いて（ａ）〜（ｄ）を繰り返すための手段をさらに備える、請求項１６に記載の装置。
【請求項１９】
前記調整された現在の遅延に基づいてスカラー値を判断するための手段であって、ここにおいて、前記スカラー値が、前記人工ニューロンのための膜電位の変化の係数の指数値の逆数であり、前記指数が、前記逆数をとる前に前記調整された現在の遅延のパワーに上げられる、上記判断するための手段をさらに備える、請求項１６に記載の装置。
【請求項２０】
前記スカラー値が線形変換の係数である、請求項１９に記載の装置。
【請求項２１】
前記ターゲット時間差が、前記人工ニューロンを含む恒常的プロセスのための設定点である、請求項１６に記載の装置。
【請求項２２】
前記人工ニューロンが、指数関数的に増大する膜電位を有し、抑制性入力の不在において脱分極し続け、ここにおいて、興奮性入力が、前記人工ニューロンを、前記人工ニューロンが前記興奮性入力なしに発火するであろうよりもすぐに発火させる、請求項１６に記載の装置。
【請求項２３】
スパイキングニューラルネットワークを使用して学習するためのコンピュータプログラム製品であって、
（ａ）人工ニューロンへの入力に関連する現在の遅延に従って前記人工ニューロンにおいて入力スパイクを遅延させることであって、ここにおいて、前記入力スパイクが、前記人工ニューロンのための基準時間に対する入力スパイク時間に発生する、上記遅延させることと、
（ｂ）前記遅延された入力スパイクに少なくとも部分的に基づいて前記人工ニューロンから出力スパイクを放出することと、
（ｃ）前記人工ニューロンからの前記出力スパイクの前記放出と前記人工ニューロンのための前記基準時間との間の実際の時間差を判断することと、
（ｄ）ターゲット時間差と前記実際の時間差との間の差、前記現在の遅延、および前記入力スパイクのための入力スパイク時間に基づいて、前記入力に関連する前記現在の遅延を調整することと
を行うように実行可能な命令を備える非一時的コンピュータ可読媒体を備える、コンピュータプログラム製品。
【請求項２４】
前記入力スパイクを遅延させる前に前記現在の遅延を初期化するように実行可能な命令をさらに備える、請求項２３に記載のコンピュータプログラム製品。
【請求項２５】
少なくとも、前記ターゲット時間差と前記実際の時間差との間の前記差がしきい値よりも小さいかまたはそれに等しくなるまで、または最大数の反復が実行されるまで、前記調整された現在の遅延を用いて（ａ）〜（ｄ）を繰り返すように実行可能な命令をさらに備える、請求項２３に記載のコンピュータプログラム製品。
【請求項２６】
前記調整された現在の遅延に基づいてスカラー値を判断することであって、ここにおいて、前記スカラー値が、前記人工ニューロンのための膜電位の変化の係数の指数値の逆数であり、前記指数が、前記逆数をとる前に前記調整された現在の遅延のパワーに上げられる、上記判断することを行うように実行可能な命令をさらに備える、請求項２３に記載のコンピュータプログラム製品。
【請求項２７】
前記スカラー値が線形変換の係数である、請求項２６に記載のコンピュータプログラム製品。
【請求項２８】
前記ターゲット時間差が、前記人工ニューロンを含む恒常的プロセスのための設定点である、請求項２３に記載のコンピュータプログラム製品。
【請求項２９】
前記人工ニューロンは、指数関数的に増大する膜電位を有し、抑制性入力の不在において脱分極し続け、ここにおいて、興奮性入力は、前記人工ニューロンが、前記人工ニューロンが前記興奮性入力なしに発火するであろうよりもすぐに発火させる、請求項２３に記載のコンピュータプログラム製品。